(57)【要約】      （修正有）【課題】導光板を固定可能なバックライトモジュール及びバックライトモジュールを有する表示デバイスを提供する。【解決手段】バックライトモジュール３は、支持面５０を有するバックプレート５と、該バックプレート５の支持面５０上に位置する光源６と、該バックプレート５の支持面５０上に位置し、光入射面７１と光出射面７２を有する導光板７と、外枠８と、を備える。該導光板７は、該光入射面７１から該光源６より発出した光を受けて該光出射面７２から光を出射する。該外枠８は、該バックプレート５に結合された本体８１と、該本体８１に設けられ該導光板７を押し当てる当接部材８２と、該当接部材８２により画定された該バックプレート５の支持面５０に向う開口８３とを有する。該当接部材８２により、該導光板７が有効的に位置決めされるように積極的に該導光板７に押圧力を加えることができる。【選択図】図３
0003202963.tif 000002
【実用新案登録請求の範囲】
【請求項１】
支持面を有するバックプレートと、
前記バックプレートの支持面上に位置する光源と、
前記バックプレートの支持面上に位置し、光入射面と光出射面を有し、前記光入射面から前記光源より発出した光を受けて前記光出射面から光を出射する導光板と、
前記バックプレートに結合された本体と、前記本体に設けられて前記導光板を押し当てる当接部材と、前記当接部材により画定された前記バックプレートの支持面に向う開口とを有する外枠と、
を備えるバックライトモジュール。
【請求項２】
前記バックプレートは、更に、前方に向かって前記支持面を画定する底壁部と、前記底壁部に接続された側壁部と、前記底壁部と前記側壁部により囲まれて前記導光板を設置するための収納空間とを備え、前記当接部材は前記収納空間内に位置する
請求項１に記載のバックライトモジュール。
【請求項３】
前記外枠の本体は、前記バックプレートの前方を遮蔽する外板部と、前記外板部に接続され、且つ前記収納空間の外にある側板部とを有する
請求項２に記載のバックライトモジュール。
【請求項４】
前記外枠の当接部材は、前記本体の外板部から前記支持面に向かって伸びる係止部を有し、前記係止部と前記本体の側板部とは間隔をあけて設置されることにより、前記バックプレートの側壁部が挿入状態で係合する係合溝を画定する請求項３に記載のバックライトモジュール。
【請求項５】
前記外枠の当接部材は、更に、前記係止部から前記導光板に向かって斜めに伸びる延伸部と、前記延伸部に設けられ、且つ前記延伸部に対して折り曲げられて前記導光板を押圧する押圧部とを有する請求項４に記載のバックライトモジュール。
【請求項６】
前記導光板は、前記光入射面と前記光出射面を接続する側面を更に有し、前記外枠の当接部材は前記導光板の側面を押し当てる請求項１〜請求項５のいずれか一項に記載のバックライトモジュール。
【請求項７】
前記当接部材の前記押圧部は、前記導光板の側面を押圧する押圧面と、前記押圧面に接続され、且つ前記バックプレートの支持面の方向に伸びるとともに、前記押圧面に対して傾斜するガイド面と、を有する請求項６に記載のバックライトモジュール。
【請求項８】
前記外枠の当接部材の材料は、弾性材料である請求項１〜請求項７のいずれか一項に記載のバックライトモジュール。
【請求項９】
請求項１〜請求項８のいずれか一項に記載のバックライトモジュールと、
前記バックライトモジュールの導光板の前方に位置する表示パネルと、
を備える表示デバイス。
【考案の詳細な説明】
【技術分野】
【０００１】
本考案は、バックライトモジュール及び該バックライトモジュールを有する表示デバイスに関し、特に導光板を固定可能なバックライトモジュール及び該バックライトモジュールを有する表示デバイスに関する。
【背景技術】
【０００２】
一般的に、バックライトモジュールの導光板は位置決め機構を利用してバックプレートに固定することで導光板の偏移又は摺動を防止する必要があるが、近年、バックライトモジュールの設計が次第に軽薄化及び狭額縁化の傾向があるので、導光板を固定するための位置決め機構もこの傾向に応じて必要な設置スペースを低減しなければならない。
【０００３】
しかし、現在の位置決め方法は別途にアセンブリを製造する必要があるので、コストが高すぎる問題がある。図１は、位置決め柱１１で導光板１２をブロックすることにより位置制限効果を達成するが、このような位置決め方法は、導光板１２に位置決め溝１３を設ける必要があるとともに、バックプレート１４に該位置決め柱１１を取り付けるために加工を実施する必要があるため、高いコストをもたらす。なお、位置決め柱１１は該導光板１２を当接するだけで該導光板１２に積極的に押圧力を加えることができないため、一旦、該位置決め柱１１が設けられたバックプレート１４が熱膨脹等の原因により位置決め柱１１の間の距離を増加させた場合、該位置決め柱１１は、正常に該導光板１２を位置制限することができなくなる。
【０００４】
図２には、Ｌ字状であるリミットブロック１５を導光板１２とバックプレート１４との間に固定することにより、該導光板１２のリミット及び振動吸収の効果を達成する。しかし、このような設置方式は同様にただ受動的に当接するだけで、積極的に押圧力を加えることができないため、バックプレート１４が熱膨脹し又はリミットブロック１５が低温で収縮する場合、該導光板１２をリミットすることができなくなり、且つこのような位置決め方法は更に別途該バックプレート１４に該リミットブロック１５をリミットするためのアセンブリ１６を設ける必要があるので、製造コストの増加をもたらす。
【考案の概要】
【考案が解決しようとする課題】
【０００５】
このため、本考案は、導光板に積極的に押圧力を加えることができるバックライトモジュールを提供することを目的とする。
【課題を解決するための手段】
【０００６】
本考案のバックライトモジュールは、支持面を有するバックプレートと、該バックプレートの支持面上に位置する光源と、該バックプレートの支持面上に位置し、光入射面と光出射面を有する導光板と、外枠と、を備える。該導光板は、該光入射面から該光源より発出した光を受けて該光出射面から光を出射する。
該外枠は、該バックプレートに結合された本体と、該本体に設けられ該導光板を押し当てる当接部材と、該当接部材により画定された該バックプレートの支持面に向う開口と、を有する。
【０００７】
このため、本考案の他の目的は、該バックライトモジュールを有する表示デバイスを提供することである。
本考案の表示デバイスは、前記のバックライトモジュールと、該バックライトモジュールの導光板の前方に位置する表示パネルと、を備える。
【考案の効果】
【０００８】
本考案は、導光板を効果的に位置決めするように、該当接部材により該導光板に積極的に押し力を加えることができることである。
【０００９】
本考案の他の特徴と効果は、添付図面を参照とした実施形態により明らかとなるであろう。
【図面の簡単な説明】
【００１０】
【図１】不完全な斜視図であり、既存の導光板及び位置決め柱を説明するものである。
【図２】不完全な斜視図であり、既存の導光板及びリミットブロックを説明するものである。
【図３】不完全な斜視図であり、本考案の表示デバイスの実施例を説明するものである。
【図４】不完全な斜視図であり、外枠がバックプレートに設置される過程を説明するものである。
【図５】不完全な斜視図であり、外枠がバックプレートに設置される過程を説明するものである。
【考案を実施するための形態】
【００１１】
図３を参照して、本考案の表示デバイス２の実施例を説明する。該表示デバイス２は、バックライトモジュール３と、該バックライトモジュール３の前方に位置する表示パネル４とを含む。
【００１２】
該バックライトモジュール３は、支持面５０を有するバックプレート５と、該バックプレート５の支持面５０上に位置する光源６と、該バックプレート５の支持面５０上に位置する導光板７と、該バックプレート５に設けられた外枠８とを含む。本実施例では、該バックライトモジュール３はエッジ型構造であるが、直下型構造に適用してもよい。
【００１３】
該バックプレート５は更に、前方に向かって該支持面５０を画定する底壁部５１と、該底壁部５１の外縁に接続された側壁部５２と、該底壁部５１と該側壁部５２とにより囲まれて該導光板７を設置するための収納空間５３と、を有する。
【００１４】
該導光板７は該表示パネル４の後方に位置し、該光源６からの光を受ける光入射面７１と、光を出射するための光出射面７２と、該光入射面７１と該光出射面７２を接続する側面７３とを有し、本実施例では、該側面７３と該光入射面７１とにより該光出射面７２が囲まれている。他の実施例において、該バックライトモジュール３が直下型構造の場合、該光入射面７１と該光出射面７２は間隔をあけて設置される。
【００１５】
該外枠８は、本体８１と、該本体８１に接続されているとともに該導光板７の側面７３を押し当てる少なくとも１つの当接部材８２と、該当接部材８２により画定され、該バックプレート５の支持面５０に向う開口８３と、該当接部材８２及び該本体８１により画定された、該バックプレート５の側壁部５２が挿入係合溝８４とを有する。該外枠８は、該係合溝８４により該バックプレート５に設置されている。図４及び図５に示す本実施例において、当接部材８２の数は複数であるが、他の実施例において、当接部材８２の数は１個であってもよい。なお、本実施例において、該本体８１と該当接部材８２は一体成形されているが、他の実施例において、それぞれ別体で設けられてもよい。
【００１６】
該本体８１は、該バックプレート５の前方を遮蔽するとともに該導光板７の一部を遮蔽する外板部８１１と、該外板部８１１に接続され、且つ該バックプレート５の側壁部５２の外側に位置し該収納空間５３外にある側板部８１２とを有する。
【００１７】
該当接部材８２は、該収納空間５３内に位置し、弾性材料で製造され、且つ該本体８１の外板部８１１から該支持面５０に向かって伸びる係止部８２１と、該係止部８２１から該導光板７に向かって斜めに伸びる延伸部８２２と、該延伸部８２２に設けられ、且つ該延伸部８２２に対して折り曲げられて該導光板７の側面７３を押圧する押圧部８２３と、を有する。該当接部材８２の押圧部８２３は、該導光板７の側面７３を押圧する押圧面８２４と、該押圧面８２４に接続され、且つ該バックプレート５の支持面５０の方向に伸びるとともに、該押圧面８２４に対して傾斜するガイド面８２５と、を有する。
【００１８】
図４及び図５を参照して、該外枠８の取り付け方法は、図４に示すように該外枠８の開口８３を該バックプレート５の支持面５０に向かうとともに、該当接部材８２を該収納空間５３に入れ、該当接部材８２のガイド面８２５が先に該導光板７の側面７３に接触して、該ガイド面８２５の傾斜面により取り付けを案内する効果を達成することである。次に、図５に示すように、該当接部材８２の押圧面８２４は該ガイド面８２５に続いて該導光板７の側面７３を押圧する。この場合、該当接部材８２は該導光板７の側面７３を押し、最後に図３に示すように、該外枠８の係合溝８４を該バックプレート５の側壁部５２に位置合わせて、該側壁部５２を該係合溝８４内に嵌め込んで係合させるとともに、該当接部材８２は該導光板７を位置決めされるまでに押して取り付けを完成する。
【００１９】
傾斜状のガイド面８２５により、取り付けの場合、該当接部材８２が該ガイド面８２５のガイドに沿って簡単に該側壁部５２に結合できるようにする。位置決めされるまでに取り付けられた場合、該当接部材８２の押圧部８２３は略谷折りの状態であり、該当接部材８２は弾性材料で製造されたため、谷折りの押圧部８２３は接触する導光板７に一定の推力を加えることにより、該導光板７を位置決めする。
【００２０】
以上のように、該当接部材８２が弾性材料で製造されているため、該導光板７と該当接部材８２との間の距離が少し変化した場合であっても両者が接触を維持することができ、従って、該導光板７が熱膨張や収縮を受けた場合でも位置決めされた状態に維持されるよう確保する。該ガイド面８２５を設置することで取り付けの難しさを低減することができ、且つ該本体８１と該当接部材８２が一体成形された構造部材が簡単でありコストを削減することができるので、本考案の目的を達成することができる。
【００２１】
以上に記載の内容は、ただ本考案の好ましい実施例に過ぎず、本考案の実施範囲を限定するためのものではない。即ち、本考案の請求の範囲及び本説明内容に基づいた簡単な等価の変更と変形は、いずれも本考案の範囲に属する。
【符号の説明】
【００２２】
２  表示デバイス
３  バックライトモジュール
４  表示パネル
５  バックプレート
５０  支持面
５１  底壁部
５２  側壁部
５３  収納空間
６  光源
７  導光板
７１  光入射面
７２  光出射面
７３  側面
８  外枠
８１  本体
８１１  外板部
８１２  側板部
８２  当接部材
８２１  係止部
８２２  延伸部
８２３  押圧部
８２４  押圧面
８２５  ガイド面
８３  開口
８４  係合溝
【図３】
0003202963.tif 000003
【図１】
0003202963.tif 000004
【図２】
0003202963.tif 000005
【図４】
0003202963.tif 000006
【図５】
0003202963.tif 000007